(57)【要約】      （修正有）【課題】工事現場や事故現場、交通取締などの際に使用されている従来の誘導棒は、赤色一色で誘導者の腕の振り方で（止まれ）（進め）の信号を認識させようとしているが、振り方だけでは判別しくいという欠点があった。解決策として誘導棒を赤色と青色に容易に且瞬時に色別表示させて、止まれ（赤色）進め（青色）の信号を、通行人および車両の運転手に、正確に、安全確実に提供し誘導させる。【解決手段】透明筒体２内部に表裏を赤と青に着色した羽根板１０を６枚色を揃えて６角形に配置し、把手部の操作レバーを指で左右に動かすだけの操作で、歯車機構を介して、羽根板１０は反転をし、筒内６角形の柱状誘導棒が赤から青に、青から赤に変化し、さらに夜間には筒内のランプが同期し赤や青に発光する。【選択図】図１
2004246848.tif 000002
【特許請求の範囲】
【請求項１】
透明樹脂製筒体内部に、回転軸の周囲に可逆的に反転する羽根板を、６枚備えその羽根板の表裏に（停止）と（進め）を意味する（赤色）と（青色）の２色を着色する。
【請求項２】
羽根板の反転を、把つ手外部より簡易にさらに瞬時に動作させる為に、羽根板の軸に小平歯車を、その６枚の羽根板の中心に主軸を設けて、その主軸には、大平歯車を取り付ける。小平歯車と大平歯車の歯数比は、１：３で有り、中心の主軸の大平歯車を、把手外部のレバーで６０度旋回させると、羽根板軸の小平歯車は、１８０度回転して、羽根板は表裏反転する。
６枚の羽根板は、筒内に６角形を形成する角度に取り付けることにより、筒の周囲どの方角からも、２色を識別することが可能である。
【請求項３】
夜間、羽根板の色の識別が困難となった場合に使用する際には、把手部に内蔵された電池の電源スイッチを接続し、同じくレバーを操作させることにより、羽根板の反転とさらに、筒内上部に内蔵された、赤色、青色のランプが点灯し、外部からの確実な認識が可能となる。
【発明の詳細な説明】
【０００１】
［産業上の利用分野］
本発明は、工事現場や事故現場、交通取締などの際に、通行人や車両の運転者に対して確実な指示をして、安全に誘導を行うものである。
【０００２】
［従来の技術］
従来使用されている誘導棒は、単に赤色一色の棒状のものや、赤色の筒内にランプやＬＥＤを備え、内蔵した電池を電源として、赤色に点灯や点滅をする昼夜使用可能としたもの。さらには、図−１の様に、赤色と青色に識別するため透明筒内中心部に、仕切りの板を設け、表を赤、裏を青色に着色し、使用者が把手部で、１８０度握り返して、筒の向きを替え（色の反転）使用させるものや、図−２の様に、透明筒内に赤色と青色のＬＥＤを内蔵させてスイッチの切替えにより、二色に発光可能とした灯具等が、公開された特許広報や実用新案広報にある。
2004246848.tif 000003
【０００３】
［発明が解決しようとする課題］
上記のような従来の交通誘導棒は、以上のように構成されており、発色、発光部からは赤色一色しか表示されないために、（止まれ）（進め）の交通誘導信号は、もっぱら誘導者の腕の振り方から認識する以外になく、この腕の振り方にも人によって様々なので、交通誘導信号を判別しにくいという欠点があった。
ランプやＬＥＤを内蔵して、赤と青に色別する灯具は、日中の明るい時間帯に使用するために電源の寿命の点での問題や、照明具の光量が小さいために、識別するのに支障があり、現実には製品化されたものは無いように身受けられる。
この発明はかかる課題を解決するために成されたもので、誘導者の腕の振り方に頼ること無く、交通誘導信号を容易に判別できる、交通誘導用シグナル棒を得る事を目的としている。
【０００４】
［問題を解決するための手段］
この発明にかかる交通誘導シグナル棒は、長時間使用される、夜明けから日没までの間に電源を使用せずに、簡易的な機構を採用し、使用者が容易に、しかも瞬時に（赤色）と（青色）を区別表示し、一方向のみならず周囲どちらからでも識別が可能で、安全確実な誘導を通行人および車両の運転者に提供させるようにしたものである。
【０００５】
［実施例］
課題解決の技術的手段を、以下図面を用いて説明する。
第１図は外形図であり、把手部（１）と透明筒体（２）がネジ込みで接続されており把手部（１）の外周には、外部操作レバー（４）と電源スイッチ（３）が有る。
第２図は本体を縦断面した図面であり、上蓋（５）を外せば、赤色ランプ（７）と青色ランプ（６）がソケットに捩じ込み取り付けられており、交換も容易である。この上蓋（５）は透明であり、蓋の上からも発光色が識別できる。
ランプの電源は筒中心部に通線用の管を設け、その内部を配線させる。
把手部（１）の底部キャップ（１５）を外すと乾電池が内蔵されており、交換も容易に行うことができる。
透明筒体（２）の内部には、第３図の横断面のように、６枚の羽根板（１０）が、各々回転可能なスキマを開けて、６角形のかたちを形成している。
羽根板（１０）は表裏が赤と青に着色されており、６枚共に外周を赤色に角度を合わせれば、６枚の内側は青色となる。筒が透明なので鮮明に色を識別できる。羽根板（１０）を６枚揃って１８０度回転（反転）させる機構を第４図に示す。６枚の羽根板（１０）の軸（１１）には、モジュール０．５歯数１２の小平歯車（１２）が、中心の金属製主軸（１４）には、モジュール０．５歯数３６の大平歯車（１３）が各々取り付けられており、中心の主軸（１４）に取り付けられた外部操作レバー（４）を指で６０度旋回させると、大平歯車（１３）も６０度旋回し、噛み合わされた周囲の６個の小平歯車（１２）は１８０度（反転）する。その結果、第３図横断面図での羽根板（１０）は６枚揃って反転し、６角形６面の外周を赤色で占めていたものが一斉に６面青色の六角形を形成させる。
主軸（１４）には乾電池からの電源が配線接続されており、電源スイッチ（３）をＯＮさせ、外部操作レバー（４）を同様に旋回させれば、レバー軸と把手部（１）の外周に設けられた、レバー動作用の溝両端にある金属片（ランプソケットと配線が接続されている）が接触通電し羽根板（１０）の反転と同時に、筒上部のランプも点灯して、夜間での使用を可能とすることができる。
羽根板（１０）の色が識別できない場合のみの電源を使用してのランプ点灯なので明るい日中でも電池を使用して、ランプを点灯させ、赤青識別させる方式のものとは比べ物にならないほどの、電池の長寿命化が図れる。
【図１】
2004246848.tif 000004
【手続補正書】
【提出日】平成15年10月7日(2003.10.7)
【手続補正２】
【補正対象書類名】明細書
【補正対象項目名】図面の簡単な説明
【補正方法】変更
【補正の内容】
【図面の簡単な説明】
【図１】本特許願いの外形図である。
使用者が、手に持つ把手部と、赤色、青色の羽根板の反転動作を操作する、外部操作レバー、夜間の使用時に赤色、青色のランプを点灯させる電源スイッチ、更に羽根板の色を外部から識別可能とする、透明筒体を図で表わしたものである。
【図２】本特許願いの縦断面図である。
把手部内部にランプ点灯の電源である乾電池を内蔵、外部操作レバーの旋回主軸大平歯車を、その周囲に６枚の羽根板軸を等分に配置し、その軸に小平歯車を取付け外部操作レバーを６０度旋回させると、周囲の６個の小平歯車は、１８０度旋回する事に依り、羽根板が表裏反転する。
電源スイッチを入力させ、操作レバーを操作させるとレバーの旋回溝両端の金属片と接触通電し透明筒体上部先端に設置された、青色と赤色のランプに通電し、羽根板が反転するのと同時に各々点灯する。
【図３】本特許願いの、Ａ〜Ａ断面図であり、６枚の羽根板の配置を表わす。
【図４】本特許願いの、Ｂ〜Ｂ断面図であり、６枚の羽根板の１８０度（反転）旋回機構を表わす。
【符号の説明】
（１）把手部          使用する際、手で握り、親指でレバーを左右に６０度旋回操作する。内部に乾電池を内蔵。
（２）透明筒体        ６枚の羽根板が反転し、赤色と青色が外部全周から識別可能とする為の透明の樹脂製筒体である。
（３）電源スイッチ    夜間使用時のランプ点灯用電源入、切スイッチ。
（４）外部操作レバー  透明筒体内部の６枚の羽根板を１８０度表裏反転させる操作をする為のレバーで６０度左右に旋回させる。
（５）透明上蓋        赤色、青色のランプ交換する際に、開閉する上蓋である。
（６）青色ランプ      羽根板が青色に反転した際、青色に点灯するランプ。
（７）赤色ランプ      羽根板が赤色に反転した際、赤色に点灯するランプ。
（８）電線            ランプ点灯用電源の電線。
（９）電線保護管      羽根板に接触しない様に電線を保護する管である。
（１０）羽根板        表裏を赤色と青色に着色した板で中心に軸が有り下端の小平歯車が１８０度旋回すれば軸を中心に表裏反転する。
（１１）羽根板軸      羽根板の中心に有る軸である。
（１２）小平歯車      モジュール０．５、歯数１２の平歯車。
（１３）大平歯車      モジュール０．５、歯数３６の平歯車。
（１４）金属性主軸    外部操作レバーを６０度旋回させる為の主軸である。
（１５）底部キャップ  乾電池交換の際に取り外す筒状キャップ。
（１６）乾電池        夜間使用時、ランプ点灯用の電源である。


【手続補正３】
【補正対象書類名】図面
【補正対象項目名】全図
【補正方法】変更
【補正の内容】
【図１】
2004246848.tif 000005
【図２】
2004246848.tif 000006
【図３】
2004246848.tif 000007
【図４】
2004246848.tif 000008